(57)【要約】【課題】本発明は、複数の転写部で同色のトナーを含む液体を用いて重ねた画像を形成する場合に、各転写部に前記液体を供給する供給体の外周面のパターンが同一であるものに比べ、重ねた画像の隠ぺい率が高くなる画像形成装置の提供を目的とする。【解決手段】画像形成装置１０は、トナーを含む液体Ｇを用いて、媒体Ｐに第１画像を転写する第１転写部８０Ｗ１と、外周面に第１凹凸パターン１００が形成され、自軸ＯＡ周りに回転しつつ液体Ｇを第１転写部８０Ｗ１に供給する第１供給体７４Ｗ１と、第１転写部８０Ｗ１で用いられるトナーと同色のトナーを含む液体Ｇを用いて、媒体Ｐ上の第１画像に重ねて第２画像を転写する第２転写部８０Ｗ２と、外周面に第１凹凸パターン１００と形状が異なる第２凹凸パターン２００が形成され、自軸ＯＡ周りに回転しつつ液体Ｇを第２転写部８０Ｗ２に供給する第２供給体７４Ｗ２と、を備えている。【選択図】図６
2016080982.tif 000002
【特許請求の範囲】
【請求項１】
トナーを含む液体を用いて、媒体に第１画像を転写する第１転写部と、
外周面に第１凹凸パターンが形成され、自軸周りに回転しつつトナーを含む液体を前記第１転写部に供給する第１供給体と、
前記第１転写部で用いられるトナーと同色のトナーを含む液体を用いて、前記媒体上の前記第１画像に重ねて第２画像を転写する第２転写部と、
外周面に前記第１凹凸パターンと形状が異なる第２凹凸パターンが形成され、自軸周りに回転しつつトナーを含む液体を前記第２転写部に供給する第２供給体と、
を備えた画像形成装置。
【請求項２】
前記第１凹凸パターンは、自軸に対し、定められた角度で傾斜する第１螺旋パターンとされ、
前記第２凹凸パターンは、自軸に対し、前記定められた角度で傾斜する第２螺旋パターンとされ、
前記第１螺旋パターンと前記第２螺旋パターンとは、互いに逆向きに傾斜し、且つ、凹部が定められた深さ、幅及び間隔で形成されている、
請求項１記載の画像形成装置。
【請求項３】
前記媒体として透明な媒体を用いて、
前記第１転写部より前記媒体の搬送方向上流側に配置され、前記媒体に、前記トナーと異色のトナーを含む液体による第３画像を転写する第３転写部を備え、
前記第１転写部と前記第２転写部とは、前記第３画像に、前記第１画像と前記第２画像とを重ねた画像を転写することで、前記第１画像と前記第２画像とを重ねた画像を前記第３画像の下地として形成する、
請求項１又は２記載の画像形成装置。
【請求項４】
前記第２転写部より前記媒体の搬送方向下流側に配置され、前記媒体に、前記トナーと異色のトナーを含む液体による第３画像を転写する第３転写部を備え、
前記第１転写部と前記第２転写部とは、前記第１画像と前記第２画像とを重ねた画像を前記第３画像の下地として形成する、
請求項１又は２記載の画像形成装置。
【請求項５】
記第１転写部で用いられるトナーは、白色である、
請求項１〜４何れか１項記載の画像形成装置。
【発明の詳細な説明】
【技術分野】
【０００１】
本発明は、画像形成装置に関する。
【背景技術】
【０００２】
特許文献１には、その図１に示されるように、有色液体を用いて記録体に画像を形成する画像形成部と、白色粒子を用いて上記記録体の画像形成面に白色層を形成する白色層形成手段と、を備えた液体画像形成装置が開示されている。
【０００３】
特許文献２には、その図６に示されるように、画像データに対してスクリーンを用いたスクリーン処理を行うスクリーン処理部と、凹凸パターンが形成された表面を有し、液体現像剤を現像ローラに供給する供給ローラと、を備えた画像形成装置が開示されている。そして、特許文献２には、凹凸パターンに起因して現像ローラの表面に形成される液体現像剤の凹凸パターンの角度と、スクリーンに起因するスクリーンパターンの角度とが、モアレ現象が発生しないように設定されていることが開示されている。
【先行技術文献】
【特許文献】
【０００４】
【特許文献１】特開２００３−２８０３２３号公報
【特許文献２】特開２００９−１２８７７５号公報
【発明の概要】
【発明が解決しようとする課題】
【０００５】
トナーを含む液体を用いて媒体に画像を転写する転写部と、外周面に凹凸パターンが形成され、自軸周りに回転しつつ前記トナーを含む液体を前記転写部に供給する供給体と、とを含んで構成される画像形成ユニットを複数備えた画像形成装置が知られている。そして、この画像形成装置を用いて、複数の画像形成ユニットによりそれぞれ同色のトナーを含む液体を用いて重ねた画像を転写する場合がある。この場合、重ねた画像において、各供給体の外周面の凹凸パターンに起因する各画像の濃淡斑が重なると、重ねた画像の隠ぺい率が低くなる。
【０００６】
本発明は、複数の転写部で同色のトナーを含む液体を用いて重ねたトナー画像を転写する場合に、各転写部に前記液体を供給する供給体の外周面のパターンが同一であるものに比べ、重ねた画像の隠ぺい率が高くなる画像形成装置の提供を目的とする。
【課題を解決するための手段】
【０００７】
請求項１記載の画像形成装置は、トナーを含む液体を用いて、媒体に第１画像を転写する第１転写部と、外周面に第１凹凸パターンが形成され、自軸周りに回転しつつトナーを含む液体を前記第１転写部に供給する第１供給体と、前記第１転写部で用いられるトナーと同色のトナーを含む液体を用いて、前記媒体上の前記第１画像に重ねて第２画像を転写する第２転写部と、外周面に前記第１凹凸パターンと形状が異なる第２凹凸パターンが形成され、自軸周りに回転しつつトナーを含む液体を前記第２転写部に供給する第２供給体と、を備えている。
【０００８】
請求項２記載の画像形成装置は、請求項１記載の画像形成装置であって、前記第１凹凸パターンは、自軸に対し、定められた角度で傾斜する第１螺旋パターンとされ、前記第２凹凸パターンは、自軸に対し、前記定められた角度で傾斜する第２螺旋パターンとされ、前記第１螺旋パターンと前記第２螺旋パターンとは、互いに逆向きに傾斜し、且つ、凹部が定められた深さ、幅及び間隔で形成されている。
【０００９】
請求項３記載の画像形成装置は、請求項１又は２記載の画像形成装置であって、前記媒体として透明な媒体を用いて、前記第１転写部より前記媒体の搬送方向上流側に配置され、前記媒体に、前記トナーと異色のトナーを含む液体による第３画像を転写する第３転写部を備え、前記第１転写部と前記第２転写部とは、前記第３画像に、前記第１画像と前記第２画像とを重ねた画像を転写することで、前記第１画像と前記第２画像とを重ねた画像を前記第３画像の下地として形成する。
【００１０】
請求項４記載の画像形成装置は、請求項１又は２記載の画像形成装置であって、前記第２転写部より前記媒体の搬送方向下流側に配置され、前記媒体に、前記トナーと異色のトナーを含む液体による第３画像を転写する第３転写部を備え、前記第１転写部と前記第２転写部とは、前記第１画像と前記第２画像とを重ねた画像を前記第３画像の下地として形成する。
【００１１】
請求項５記載の画像形成装置は、請求項１〜４何れか１項記載の画像形成装置であって、記第１転写部で用いられるトナーは、白色である。
【発明の効果】
【００１２】
請求項１記載の画像形成装置は、複数の転写部で同色のトナーを含む液体を用いて重ねたトナー画像を転写する場合に、各転写部に前記液体を供給する各供給体の凹凸パターンが同一であるものに比べ、重ねた画像の隠ぺい率が高くなる。
【００１３】
請求項２記載の画像形成装置は、各転写部にトナーを含む液体を供給する各供給体の凹凸パターンの定められた角度が異なる画像形成装置に比べ、各供給体の周速を同等にしたまま前記液体の供給量を同等にすることができる。
【００１４】
請求項３記載の画像形成装置は、第１及び第２転写部に液体を供給する各供給体の凹凸パターンが同一である画像形成装置に比べ、第３画像に隠ぺい率の高い下地を形成することができる。
【００１５】
請求項４記載の画像形成装置は、第１及び第２転写部に液体を供給する各供給体の凹凸パターンが同一である画像形成装置に比べ、隠ぺい率の高い下地に第３画像を形成することができる。
【００１６】
請求項５記載の画像形成装置は、複数の転写部で白色のトナーを含む液体を用いて重ねたトナー画像を形成する場合に、各転写部に前記液体を供給する各供給体の凹凸パターンが同一であるものに比べ、白色の重ねた画像の隠ぺい率が高くなる。
【図面の簡単な説明】
【００１７】
【図１】第１実施形態の画像形成装置の概略図（正面図）である。
【図２】第１実施形態の画像形成装置を構成する画像形成ユニットの概略図（正面図）である。
【図３】第１実施形態の画像形成装置により、透明媒体に形成した画像を示す図であって、（Ａ）は透明媒体を裏面側から見た図、（Ｂ）は、Ｂ−Ｂ線における断面図である。
【図４】第１実施形態の画像形成装置により、透明媒体に形成した画像を示す図であって、（Ａ）は透明媒体を裏面側から見た図、（Ｂ）は、Ｂ−Ｂ線における断面図である。
【図５】画像形成ユニットを構成する供給ロールの斜視図である。
【図６】第１実施形態のＷ（ホワイト）用供給ロールの凹凸パターンを示す図である。また、図５における二点差線で囲まれた部位に形成された凹凸パターンを示す図であって、（Ａ）は媒体搬送方向上流側のＷ（ホワイト）用供給ロールのもの、（Ｂ）は媒体搬送方向下流側のＷ（ホワイト）用供給ロールのものである。
【図７】第２実施形態のＷ（ホワイト）用供給ロールの凹凸パターンを示す図である。また、図５における二点差線で囲まれた部位に形成された凹凸パターンを示す図である。
【図８】ランダムな凹凸パターンの説明のための図である。
【図９】第３実施形態のＷ（ホワイト）用供給ロールの凹凸パターンを示す図である。また、図５における二点差線で囲まれた部位に形成された凹凸パターンを示す図であって、（Ａ）は媒体搬送方向上流側のＷ（ホワイト）用供給ロールのもの、（Ｂ）は媒体搬送方向下流側のＷ（ホワイト）用供給ロールのものである。
【図１０】第４実施形態の画像形成装置の概略図（正面図）である。
【図１１】第４実施形態の画像形成装置により、透明媒体に形成した画像を示す図であって、（Ａ）は透明媒体を表面側から見た図、（Ｂ）は、Ｂ−Ｂ線における断面図である。
【図１２】第５実施形態の画像形成装置の概略図（正面図）である。
【図１３】第５実施形態の画像形成装置により、白色媒体に形成した画像を示す図であって、（Ａ）は紙媒体を表面側から見た図、（Ｂ）は、Ｂ−Ｂ線における断面図である。
【図１４】供給ロールの外周面に形成された凹凸パターンの変形例（ダイヤ型の凹凸パターン）を示す図である。
【図１５】供給ロールの外周面に形成された凹凸パターン（ハニカム型の凹凸パターン）の変形例を示す図である。
【発明を実施するための形態】
【００１８】
≪概要≫
以下、実施形態（第１〜第５実施形態）について図面を参照しつつ説明する。以下の説明では、図面に矢印Ｚで示す方向を装置高さ方向、図面に矢印Ｘで示す方向を装置幅方向とする。また、装置高さ方向及び装置幅方向のそれぞれに直交する方向（矢印Ｙで示す方向）を装置奥行き方向とする。
【００１９】
≪第１実施形態≫
まず、本実施形態の画像形成装置及び現像剤について説明する。次いで、本実施形態の要部であるＷ（ホワイト）色用の供給部を構成する供給ロールの凹凸パターンについて説明する。次いで、本実施形態の作用について説明する。
【００２０】
＜画像形成装置の全体構成＞
画像形成装置１０は、トナー及び不揮発性のオイルを含む現像剤Ｇを用いてトナー画像を形成し、搬送される媒体Ｐにトナー画像を転写し、媒体Ｐにトナー画像を定着して、媒体Ｐに画像を形成する機能を有する。ここで、現像剤Ｇは、トナーを含む液体の一例である。画像形成装置１０は、図１に示されるように、搬送装置２０と、画像形成部３０と、定着装置４０と、制御部５０と、を含んで構成されている。
【００２１】
［搬送装置］
搬送装置２０は、矢印Ａ方向（搬送方向）に媒体Ｐを搬送する機能を有する。なお、搬送装置２０により搬送される媒体Ｐは、連張状の媒体とされている。
【００２２】
［画像形成部］
画像形成部３０は、搬送される媒体Ｐに、後述する画像形成ユニット６０Ｙ、６０Ｍ、６０Ｃ、６０Ｋ、６０Ｗ１、６０Ｗ２により形成される各色のトナー画像を重畳させて、多色のトナー画像を形成する機能を有する。画像形成部３０は、搬送装置２０よりも媒体Ｐの搬送方向上流側に配置されている。
【００２３】
〔画像形成ユニット〕
画像形成ユニット６０Ｙ、６０Ｍ、６０Ｃ、６０Ｋ、６０Ｗ１、６０Ｗ２は、前述のとおり、各色のトナー画像を形成して、各色のトナー画像を搬送される媒体Ｐに転写する機能を有する。画像形成ユニット６０Ｙ、６０Ｍ、６０Ｃ、６０Ｋ、６０Ｗ１、６０Ｗ２は、図１に示されるように、媒体Ｐの搬送方向上流側から下流側に、これらの記載順で媒体Ｐの搬送経路に沿って配置されている。
【００２４】
ここで、添え字の「Ｙ」はイエロー、「Ｍ」はマゼンタ、「Ｃ」はシアン、「Ｋ」はブラックを意味し、画像形成ユニット６０Ｙ、６０Ｍ、６０Ｃ、６０Ｋは、それぞれ、Ｙ色、Ｍ色、Ｃ色、Ｋ色のトナー画像を形成するようになっている。また、「Ｗ」はホワイト（白色）を意味し、画像形成ユニット６０Ｗ１、６０Ｗ２は、Ｗ色のトナー画像を形成するようになっている。なお、「Ｗ１」及び「Ｗ２」の数字は、色の違いではなく、媒体Ｐの搬送経路に沿って媒体Ｐの搬送方向上流側から配置されている順を示している。また、図３、図４、図１１及び図１３において、Ｙ、Ｍ、Ｃ、Ｋ、Ｗと記載した符号は、それぞれ、Ｙ色、Ｍ色、Ｃ色、Ｋ色、Ｗ色のトナー画像を意味するものとする。
【００２５】
また、画像形成ユニット６０Ｙ、６０Ｍ、６０Ｃ、６０Ｋ、６０Ｗ１は、用いられる現像剤Ｇに含まれるトナーのトナー色以外は、同様の構成とされている。これに対して、画像形成ユニット６０Ｗ１、６０Ｗ２は、後述する供給ロールの外周面の凹凸パターン１００、２００以外は、互いに同様の構成とされている（図６（Ａ）及び（Ｂ）参照）。以下、画像形成ユニット６０Ｙ、６０Ｍ、６０Ｃ、６０Ｋ、６０Ｗ１、６０Ｗ２及びこれらを構成する部材の説明において、特にトナー色（Ｋ、Ｃ、Ｍ、Ｙ、Ｗ）毎の区別が不要な場合は添字Ｋ、Ｃ、Ｍ、Ｙ、Ｗ１、Ｗ２を省略する。
【００２６】
画像形成ユニット６０は、図１及び図２に示されるように、供給部７０と、転写部８０と、を含んで構成されている。なお、図２では、添字Ｋ、Ｃ、Ｍ、Ｙ、Ｗ１、Ｗ２が省略されている。
【００２７】
〈供給部〉
供給部７０は、現像剤Ｇを収容し、転写部８０に現像剤Ｇを供給する機能を有する。供給部７０は、図１及び図２に示されるように、容器７２と、供給ロール７４と、を含んで構成されている。ここで、画像形成ユニット６０Ｗ１を構成する供給ロール７４Ｗ１は、第１供給体の一例である。また、画像形成ユニット６０Ｗ２を構成する供給ロール７４Ｗ２は、第２供給体の一例である。なお、供給ロール７４の一部は、図１及び図２に示されるように、容器７２に収容されている現像剤Ｇに浸かっている。
【００２８】
容器７２は、現像剤Ｇを収容する機能を有する。容器７２は、外部タンク（図示省略）に連結されており、外部タンク内に貯蔵されている現像剤Ｇが補給されるようになっている。
【００２９】
供給ロール７４は、自軸周り（軸ＯＡの周り）に回転しながら、容器７２に収容されている現像剤Ｇを汲み上げて、後述する現像ロール８８とのニップＮ１で、現像ロール８８に現像剤Ｇを供給する機能を有する。ここで、現像剤Ｇは、ブレード（図示省略）により層厚が調整され、帯電装置（図示省略）により一例として正極性に帯電され、電源（図示省略）により電圧が印加されることでニップＮ１に電界が形成されて、現像ロール８８に供給されるようになっている。
【００３０】
供給ロール７４は、円柱状とされている（図５参照）。また、供給ロール７４Ｙ、７４Ｍ、７４Ｃ、７４Ｋ、７４Ｗ１の外周面には、凹凸パターン１００が形成されている（図６（Ａ）参照）。また、供給ロール７４Ｗ２の外周面には、凹凸パターン２００が形成されている（図６（Ｂ）参照）。供給ロール７４は、自軸周りに回転しながら、容器７２に収容されている現像剤Ｇを、凹凸パターン１００、２００の凹部１１０、２１０に入れて汲み上げるようになっている。ここで、凹凸パターン１００は、第１凹凸パターンの一例である。また、凹凸パターン２００は、第２凹凸パターンの一例である。
【００３１】
なお、供給ロール７４Ｗ１の凹凸パターン１００と供給ロール７２Ｗ２の凹凸パターン２００の関係については、後述する。
【００３２】
〈転写部〉
転写部８０は、現像剤Ｇを用いて後述する感光体８２に現像されたトナー画像を、搬送装置２０により搬送される媒体Ｐに転写する機能を有する。ここで、画像形成ユニット６０Ｙ、６０Ｍ、６０Ｃ及び６０Ｋを構成する転写部８０Ｙ、８０Ｍ、８０Ｃ及び８０Ｋの何れか又は何れか２つ以上の組合せは、第３転写部の一例である。転写部８０Ｙ、８０Ｍ、８０Ｃ及び８０Ｋの何れか１つ以上の転写部により媒体Ｐに転写されるトナー画像は、第３画像の一例である。画像形成ユニット６０Ｗ１を構成する転写部８０Ｗ１は、第１転写部の一例である。転写部８０Ｗ１により媒体Ｐに転写されるトナー画像は、第１画像の一例である。画像形成ユニット６０Ｗ２を構成する転写部８０Ｗ２は、第２転写部の一例である。転写部８０Ｗ２により媒体Ｐに転写されるトナー画像は、第２画像の一例である。
【００３３】
転写部８０は、図２に示されるように、感光体８２と、帯電装置８４と、露光装置８６と、現像ロール８８と、転写ドラム９０と、転写ロール９２と、を含んで構成されている。
【００３４】
（感光体）
感光体８２は、潜像を保持する機能を有する。感光体８２は、筒体とされており、自軸周り（軸ＯＣの周り）に回転するようになっている。
【００３５】
（帯電装置）
帯電装置８４は、感光体８２を帯電させる機能を有する。帯電装置８４は、感光体８２の自軸に沿って配置されている。
【００３６】
（露光装置）
露光装置８６は、帯電装置８４により帯電された感光体８２に、潜像を形成する機能を有する。
【００３７】
（現像ロール）
現像ロール８８は、感光体８２が保持する潜像を、供給部７０から供給される現像剤Ｇを用いてトナー画像として現像する機能を有する。現像装置８８は、円柱とされており、感光体８２及び供給ロール７４と自軸方向を揃えて回転可能に配置されている。
【００３８】
（転写ドラム）
転写ドラム９０は、感光体８２に形成されたトナー画像を、転写ドラム９０の外周面に一次転写させて保持する機能を有する。転写ドラム９０は、筒体とされている。転写ドラム９０は、感光体８２とともにニップＮ２を形成し、電源（図示省略）により電圧が印加されニップＮ２に電界が形成されることで、自軸周り（軸ＯＤの周り）に回転しながら、一次転写させたトナー画像を保持するようになっている。
【００３９】
（転写ロール）
転写ロール９２は、転写ドラム９０の外周面に保持されたトナー画像を、搬送される媒体Ｐに二次転写させる機能を有する。転写ロール９２は、円柱とされている。転写ロール９２は、装置奥行き方向から見て、媒体Ｐの搬送経路を挟んで転写ドラム９０の反対側に配置され、転写ドラム９０とともにニップＮ３を形成している。転写ロール９２は、電源（図示省略）により電圧が印加されニップＮ３に電界が形成されることで、自軸周り（軸ＯＥ周り）に回転しながら、転写ドラム９０の外周面に保持されたトナー画像を媒体Ｐに二次転写させるようになっている。
【００４０】
［定着装置］
定着装置４０は、画像形成部３０により媒体Ｐに形成された多色のトナー画像を、加熱、加圧することで、媒体Ｐに定着させる機能を有する。定着装置４０は、搬送装置２０よりも媒体Ｐの搬送方向下流側に配置されている。
【００４１】
［制御部］
制御部５０は、画像形成装置１０を構成する各部（搬送装置２０、画像形成部３０、定着装置４０等）を、制御する機能を有する。
【００４２】
［現像剤］
本実施形態の画像形成装置１０で用いられる現像剤Ｇは、粉体のトナーをオイルに分散させて得た液状タイプの現像剤（液体現像剤）とされている。本実施形態では、各色のトナーは、一例として体積平均粒径が５μｍの粉体とされている。また、オイルは、一例としてジメチルシリコーンオイル（シリコーンオイルの一種）とされている。ここで、ジメチルシリコーンオイルとは、不揮発性のオイルである。なお、不揮発性とは、その引火点が１３０℃以上、又は１５０℃で２４時間後における揮発分が８質量％以下であることを意味する。
【００４３】
［補足］
〔画像形成装置で用いられる媒体〕
本実施形態の画像形成装置１０では、一例として、紙媒体Ｐ１以外に、透明媒体Ｐ２に画像を形成することが可能とされている。ここで、紙媒体Ｐ１及び透明媒体Ｐ２は、媒体の一例である。また、透明媒体Ｐ２は、透明な媒体の一例である。なお、透明媒体Ｐ２に画像を形成する場合、透明媒体Ｐ２は、作業者により搬送装置２０に取り付けられる。
【００４４】
〔画像形成ユニット６０を構成する各部の回転速度（周速）〕
前述のとおり、各色の画像形成ユニット６０を構成する各部（供給ロール７４、感光体８２、現像ロール８８、転写ドラム９０及び転写ロール９２）は、それぞれの自軸周りに回転するように構成されている。ここで、各色の画像形成ユニット６０を構成する各部は、それぞれ定められた周速で自軸周りに回転するようになっている。また、各部の周速は、同等とされている。つまり、供給ロール７４Ｗ１の周速と供給ロール７４Ｗ２の周速とは、同等とされている。
【００４５】
〔転写部８０Ｗ１及び転写部８０Ｗ２から媒体に転写されるトナー画像〕
前述のとおり、転写部８０Ｗ１は搬送される媒体ＰにＷ色のトナー画像を転写し、転写部８０Ｗ２は搬送される媒体ＰにＷ色のトナー画像を転写するようになっている。この際、転写部８０Ｗ２は、転写部８０Ｗ１が媒体Ｐに転写するトナー画像に、重ねてＷ色のトナー画像を転写するようになっている。そして、転写部８０Ｗ１と転写部８０Ｗ２とは、転写部８０Ｙ、８０Ｍ、８０Ｃ、８０Ｋが透明媒体Ｐ２に転写したトナー画像に、下地となる重ねたＷ色のトナー画像を転写するようになっている。また、転写部８０Ｗ１と転写部８０Ｗ２とは、透明媒体Ｐ２における、転写部８０Ｙ、８０Ｍ、８０Ｃ、８０Ｋがトナー画像を転写した部位以外の部位に、背景画像となる重ねたＷ色のトナー画像を転写するようになっている。つまり、「下地」とは、転写部８０Ｙ、８０Ｍ、８０Ｃ、８０Ｋが透明媒体Ｐ２に転写したトナー画像（第３画像）の下に形成される重ねたＷ色のトナー画像のことをいう。また、「背景画像」とは、透明媒体Ｐ２の画像形成領域において、第３画像が形成された部位以外の部位に形成される重ねたＷ色のトナー画像のことをいう。なお、透明媒体Ｐ２の画像形成領域全域に第３画像が形成される場合、背景画像が形成されない。
【００４６】
転写部８０Ｗ１及び転写部８０Ｗ２から媒体Ｐに転写されるＷ色の各トナー画像の層厚は、Ｗ色のトナー粒子の体積平均粒径程度の層厚、すなわち、５μｍ程度の層厚で形成されるようになっている。別の見方をすれば、本実施形態の画像形成装置１０で用いられる現像剤Ｇは、前述のとおり、液体現像剤であることから、Ｗ色の各トナー画像の層厚は、Ｗ色のトナー粒子の体積平均粒径程度の層厚でしか形成することができない。そのため、重ねたＷ色のトナー画像の層厚は、１０μｍ程度の層厚で形成されるようになっている。
【００４７】
＜画像形成工程＞
次に、画像形成装置１０による画像形成工程について、図１、図２及び図３を参照しつつ説明する。なお、画像形成装置１０による画像形成動作は、制御部５０が画像形成装置１０を構成する各部を制御することで行われる。
【００４８】
コンピュータ（図示省略）が制御部５０に画像データを送信する。ここで、画像データは、一例として、透明媒体Ｐ２に形成するデータであって、Ｋ色の文字Ａと、Ｙ色、Ｍ色及びＣ色の多色の文字Ｂ及びＣと、Ｗ色の下地と、Ｗ色の背景画像と、を含むデータとされている。なお、搬送装置２０には、作業者により透明媒体Ｐ２が取り付けられている。
【００４９】
次いで、制御部５０は、コンピューター（図示省略）から画像データを受け取ると、画像データをＷ色以外の各色の露光データに変換し、露光装置８６Ｙ、８６Ｍ、８６Ｃ、８６Ｋに、Ｙ色、Ｍ色、Ｃ色、Ｋ色の露光データを受け渡す。これに対して、制御部５０は、露光装置８６Ｗ１、８６Ｗ２（図示省略）に、感光体８２Ｗ１、８２Ｗ２の画像形成領域全域にベタ画像を形成するための露光データを受け渡す。
【００５０】
次いで、画像形成ユニット６０Ｙでは、感光体８２Ｙが回転し、帯電装置８４Ｙにより感光体８２が帯電される。次いで、帯電された感光体８２Ｙが露光装置８６Ｙにより露光されることで、感光体８２Ｙには、Ｙ色用の潜像が形成される。そして、Ｙ色用の潜像は、供給部７０ＹからＹ色の現像剤Ｇを供給された現像装置８８ＹによってＹ色のトナー画像として現像される。
【００５１】
次いで、Ｙ色のトナー画像は、感光体８２Ｙの回転によりニップＮ２に至り、転写ドラム９０Ｙに一次転写される。さらに、転写ドラム９０Ｙに転写されたＹ色のトナー画像は、転写ドラム９０Ｙの回転でニップＮ３に至る。そして、ニップＮ３に至ったＹ色のトナー画像は、転写ロール９２Ｙによって、搬送される透明媒体Ｐ２に二次転写される。
【００５２】
同様にして、画像形成ユニット６０Ｍ及び６０Ｃでは、Ｍ色及びＣ色のトナー画像が、透明媒体Ｐ２に二次転写されたＹ色のトナー画像に重畳するように、転写ドラム９０Ｍ及び９０Ｃから透明媒体Ｐ２に順次二次転写される。また、画像形成ユニット６０Ｋでは、Ｋ色のトナー画像（文字Ａ）が、転写ドラム９０Ｋから透明媒体Ｐ２に順次二次転写される。
【００５３】
次いで、画像形成ユニット６０Ｗ１では、感光体８２Ｗ１の画像形成領域全域に現像されたＷ色のトナー画像が、転写ドラム９０Ｗ１から文字Ａ、Ｂ及びＣのトナー画像が二次転写された透明媒体Ｐ２に二次転写される。
【００５４】
次いで、画像形成ユニット６０Ｗ２では、感光体８２Ｗ２の画像形成領域全域に現像されたＷ色のトナー画像が、画像形成ユニット６０Ｗ１により透明媒体Ｐ２に二次転写されたＷ色のトナー画像上に二次転写される。
【００５５】
次いで、画像形成部３０においてトナー画像が形成された透明媒体Ｐ２は、搬送装置２０により搬送されて、定着装置４０に至る。そして、透明媒体Ｐ２上のトナー画像は、定着装置４０により、加熱、加圧されて、透明媒体Ｐ２に定着される。
【００５６】
定着装置４０によりトナー画像が定着された透明媒体Ｐ２は、搬送装置２０により搬送されて、巻き取り装置（図示省略）により巻き取られる。その後、巻き取り装置により巻き取られた当該透明媒体Ｐ２は、裁断装置（図示省略）により裁断されて、印刷物が完成する。なお、図３（Ａ）及び（Ｂ）は、上記画像データを用いて透明媒体Ｐ２に形成した画像を示している。ここで、本実施形態の画像形成工程により完成した印刷物は、透明媒体Ｐ２の裏面（トナー画像が形成される面と反対側の面）側から視認される。
【００５７】
以上が、画像形成装置１０による透明媒体Ｐ２に対する画像形成工程の説明である。なお、画像形成装置１０では、図４（Ａ）及び（Ｂ）のように、透明媒体Ｐ２に画像を形成することも可能である。この場合は、Ｗ色の下地の画像データは、文字Ａ、Ｂ及びＣの露光データに変換されて露光装置８６Ｗ１、８６Ｗ２に受け渡されて、上記の画像形成工程と同様の画像形成工程が行われる。また、画像形成装置１０は、紙媒体Ｐ１を用いてトナー画像を形成する場合、上記の画像形成工程とは異なり、画像形成ユニット６０Ｗ１、６０Ｗ２を用いずに画像を形成することも可能である。
【００５８】
＜要部（Ｗ色用の供給部を構成する供給ロールの凹凸パターン）＞
次に、本実施形態の要部について、図面を参照しつつ説明する。
【００５９】
［供給ロール７４Ｗ１の凹凸パターン］
供給ロール７４Ｗ１は、図６（Ａ）に示されるように、外周面が凹部１１０と凸部１２０とで形成される凹凸パターン１００を有するアニロックスロールとされている。そして、凹部１１０は、定められた深さ、幅ＷＡ及び間隔ＬＡで形成されている。また、凹部１１０及び凸部１２０は、供給ロール７４Ｗ１の径方向から見ると、供給ロール７４Ｗ１の自軸に対し角度４５°（定められた角度の一例）で傾斜している。つまり、凹凸パターン１００は、供給ロール７４Ｗ１の外周面に形成され、角度４５°で傾斜する多条の螺旋パターン（以下、第１螺旋パターン１００という。）とされている。なお、供給ロール７４Ｗ１の自軸は、装置奥行き方向に沿っている。
【００６０】
［供給ロール７４Ｗ２の凹凸パターン］
供給ロール７４Ｗ２は、図６（Ａ）に示されるように、外周面が凹部２１０と凸部２２０とで形成される凹凸パターン２００を有するアニロックスロールとされている。そして、凹部２１０は、凹部１１０の定められた深さと同等の深さ、凹部１１０の定められた幅ＷＡ及び凹部１１０の定められた間隔ＬＡで形成されている。また、凹部２１０及び凸部２２０は、供給ロール７４Ｗ１の径方向から見ると、供給ロール７４Ｗ２の自軸に対し角度１３５°（定められた角度の一例）で傾斜している。つまり、凹凸パターン２００は、供給ロール７４Ｗ２の外周面に形成され、角度１３５°で傾斜する多条の螺旋パターン（以下、第２螺旋パターン２００という。）とされている。なお、供給ロール７４Ｗ２の自軸は、装置奥行き方向に沿っている。別の見方をすると、凹部２１０及び凸部２２０は、自軸に対し角度−４５°で傾斜しているといえる。
【００６１】
つまり、第１螺旋パターン１００と第２螺旋パターン２００とは、互いに逆向きに傾斜し、且つ、凹部１１０、２１０が、定められた深さ、幅ＷＡ及び間隔ＬＡで形成されている。
【００６２】
以上が、供給ロール７４Ｗ１の凹凸パターン１００及び供給ロール７４Ｗ２の凹凸パターン２００の構成についての説明である。
【００６３】
＜作用＞
［概要］
次に、本実施形態の作用について図面を参照しつつ説明する。ここでは、本実施形態と、以下に説明する第１比較形態とを比較して、本実施形態の作用を説明する。なお、第１比較形態において、本実施形態の画像形成装置１０で用いた部材等を用いる場合、その部材等の符号等をそのまま用いて説明する。
【００６４】
第１比較形態の画像形成装置（以下、比較装置という。）は、画像形成ユニット６０Ｗ２の供給ロール７４Ｗ２に換えて、画像形成ユニット６０Ｗ１の供給ロール７４Ｗ１が取り付けられている。この点以外は、本実施形態の画像形成装置１０と同様の構成とされている。
【００６５】
ここで、比較装置により透明媒体Ｐ２に図３（Ａ）及び（Ｂ）のような画像を形成する場合を考える。比較装置で上記画像を形成すると、重ねたＷ色のトナー画像において、画像形成ユニット６０Ｗ１の供給ロール７４Ｗ１の凹部１１０に対応する部位に、画像形成ユニット６０Ｗ２の供給ロール７４Ｗ１の凹部１１０に対応する部位が凹部１１０の傾斜方向で重なる場合がある。その結果、比較装置により透明媒体Ｐ２に転写される重ねたＷ色のトナー画像には、凹凸パターン１００に起因する濃淡斑が発生してしまう。そして、Ｗ色のトナー画像に濃淡斑が発生すると、Ｗ色の背景画像は、濃淡斑に起因して視認性が悪くなる。また、Ｗ色のトナー画像を下地として形成される文字Ａ、Ｂ及びＣも、濃淡斑に起因して視認性が悪くなる。
【００６６】
ここで、視認性が悪いとされるトナー画像は、隠ぺい率が４０％未満のトナー画像のことをいう。そして、比較装置により透明媒体Ｐ２に転写される重ねたＷ色のトナー画像の隠ぺい率は、３３％である。なお、隠ぺい率は、ＪＩＳ  Ｋ  ５６００−４−１における方法Ａにより測定される。
【００６７】
これに対して、本実施形態の画像形成装置１０では、画像形成ユニット６０Ｗ１の供給ロール７４Ｗ１と、画像形成ユニット６０Ｗ２の供給ロール７４Ｗ２とは、図６（Ａ）及び（Ｂ）に示されるように、凹凸パターン１００、２００が、自軸方向に対しそれぞれ異なる角度で傾斜している。そのため、透明媒体Ｐ２に図３（Ａ）及び（Ｂ）のようなトナー画像を転写する場合、重ねたＷ色のトナー画像において、供給ロール７４Ｗ１の凹部１１０に対応する部位に、供給ロール７４Ｗ２の凹部２１０に対応する部位が、凹部２１０の傾斜方向に沿って重なることがない。そのため、本実施形態の画像形成装置１０により透明媒体Ｐ２に転写される重ねたＷ色のトナー画像には、凹凸パターン２００に起因する濃淡斑が発生し難い。なお、本実施形態の画像形成装置１０で形成した重ねたＷ色のトナー画像の隠ぺい率は５１％である。
【００６８】
したがって、本実施形態の画像形成装置１０によれば、比較装置に比べて、Ｗ色の重ねた画像の隠ぺい率が高い。これに伴い、本実施形態の画像形成装置１０によれば、文字Ａ、Ｂ及びＣに隠ぺい率の高い下地となるＷ色の重ねた画像を形成することができる。
【００６９】
なお、本実施形態の画像形成装置１０では、供給ロール７４Ｗ１の凹部１１０と供給ロール７４Ｗ２の凹部２１０とは、図６（Ａ）及び（Ｂ）に示されるように、互いに逆向きに自軸方向に対して同等となる角度で、すなわち、４５°と１３５°（−４５°）の関係で傾斜している。また、凹部１１０と凹部２１０とは、定められた深さ、幅ＷＡ及び間隔ＬＡで形成されている。そのため、供給ロール７４Ｗ１と供給ロール７４Ｗ２とは、同等の周速で自軸周りに回転した場合、現像ロール８８に供給する単位時間当たりの現像剤Ｇの量（以下、現像剤Ｇの供給量という。）が同等である。
【００７０】
したがって、本実施形態の画像形成装置１０によれば、凹部１１０と凹部２１０との自軸方向に対する角度が異なる画像形成装置に比べ、供給ロール７４Ｗ１、７４Ｗ２の周速を同等にしたまま、現像剤Ｇの供給量を同等にできる。このため、各供給ロール７４Ｗ１、７４Ｗ２の周速の調整が不要となる。
【００７１】
≪第２実施形態≫
次に、第２実施形態の画像形成装置１０について、図７及び図８を参照しつつ説明する。なお、第２実施形態において、第１実施形態の画像形成装置１０で用いた部材等を用いる場合、その部材等の符号等をそのまま用いて説明する。
【００７２】
第２実施形態の画像形成装置１０は、画像形成ユニット６０Ｗ１の供給ロール７４Ｗ１の外周面が図７のようなランダムな凹凸パターン１００Ａとされている。また、画像形成ユニット６０Ｗ２の供給ロール７４Ｗ２の外周面が図７のようなランダムな凹凸パターン１００Ａとされている。ここで、凹凸パターン１００Ａは、第１凹凸パターン及び第２凹凸パターンの一例である。
【００７３】
なお、ランダムな凹凸パターン１００Ａでは、供給ロール７４Ｗ１の外周面に、複数個の凹部１１０Ａがランダムに配置されている。ランダムに配置については、一例として、図８に示される複数個の凹部１１０Ａを構成する３つの凹部（凹部１１０Ａ１、１１０Ａ２、１１０Ａ３）に着目して説明する。凹部１１０Ａ１の図心（中心）をＣ１、凹部１１０Ａ２の図心（中心）をＣ２、凹部１１０Ａ３の図心（中心）をＣ３とする。また、Ｃ１とＣ２とを結ぶ線分（中心間距離）を中心間距離Ｌ１、Ｃ１とＣ３とを結ぶ線分（中心間距離）を中心間距離Ｌ２とする。そして、ランダムに配置とは、凹部１１０Ａ１と凹部１１０Ａ１に一方で隣接する凹部１１０Ａ２との中心間距離Ｌ１と凹部１１０Ａ１と凹部１１０Ａ１に他方で隣接する凹部１１０Ａ３との中心間距離Ｌ２とが異なる配置関係をいう。
【００７４】
第２実施形態の画像形成装置１０は、上記の点以外は第１実施形態の画像形成装置１０と同等の構成とされている。
なお、上記では、供給ロール７４Ｗ１の外周面と供給ロール７４Ｗ２の外周面とは、図７のようなランダムな凹凸パターン１００Ａとされているとして説明した。これは、何れの供給ロール７４Ｗ１、７４Ｗ２にも同じ形状のランダムな凹凸パターンが形成されているという意味ではなく、何れの供給ロール７４Ｗ１、７４Ｗ２にもランダムに配置された複数の凹部１１０Ａが形成されているという意味である。つまり、供給ロール７４Ｗ１の外周面と供給ロール７４Ｗ２の外周面とは、異なる凹凸パターンが形成されている。
【００７５】
本実施形態の画像形成装置１０では、透明媒体Ｐ２に図３（Ａ）及び（Ｂ）のような画像を形成する場合、重ねたＷ色のトナー画像には、ランダムな凹凸パターン１００Ａに起因する濃淡斑が発生し難い。なお、本実施形態の画像形成装置１０で形成した重ねたＷ色のトナー画像の隠ぺい率は４６％である。
【００７６】
本実施形態の作用は、第１実施形態の作用と同様である。
【００７７】
≪第３実施形態≫
次に、第３実施形態の画像形成装置１０について、図９（Ａ）及び（Ｂ）を参照しつつ説明する。なお、第３実施形態において、第１及び第２実施形態の画像形成装置１０で用いた部材等を用いる場合、その部材等の符号等をそのまま用いて説明する。
【００７８】
第３実施形態の画像形成装置１０は、画像形成ユニット６０Ｗ１の供給ロール７４Ｗ１の外周面が図９（Ａ）のような凹凸パターン１００、つまり、第１実施形態の供給ロール７４Ｗ１の凹凸パターン１００とされている。また、画像形成ユニット６０Ｗ２の供給ロール７４Ｗ２の外周面が図９（Ｂ）のようなランダムな凹凸パターン１００Ａ、つまり、第２実施形態の供給ロール７４Ｗ１、７４Ｗ２のランダムな凹凸パターン１００Ａとされている。第３実施形態の画像形成装置１０は、上記の点以外は第１及び第２実施形態の画像形成装置１０と同等の構成とされている。
【００７９】
本実施形態の画像形成装置では、透明媒体Ｐ２に図３（Ａ）及び（Ｂ）のような画像を形成する場合、重ねたＷ色のトナー画像には、ランダムな凹凸パターン１００Ａに起因する濃淡斑が発生し難い。なお、本実施形態の画像形成装置１０で形成した重ねたＷ色のトナー画像の隠ぺい率は４６％である。
【００８０】
本実施形態の作用は、供給ロール７４Ｗ１、７４Ｗ２の周速に対する現像剤Ｇの供給量を同等にできる点以外は、第１及び第２実施形態の作用と同様である。
【００８１】
≪第４実施形態≫
次に、第４実施形態の画像形成装置１０Ａについて、図１０及び図１１を参照しつつ説明する。なお、第４実施形態において、第１〜第３実施形態の画像形成装置１０で用いた部材等を用いる場合、その部材等の符号等をそのまま用いて説明する。
【００８２】
第４実施形態の画像形成装置１０Ａは、第１実施形態の画像形成装置１０と異なり、画像形成部３０を構成する各画像形成ユニット６０の配置が異なる。具体的には、画像形成ユニット６０Ｗ１、６０Ｗ２、６０Ｙ、６０Ｍ、６０Ｃ、６０Ｋが、図１０に示されるように、媒体Ｐの搬送方向上流側から下流側に、これらの記載順で媒体Ｐの搬送経路に沿って配置されている。第４実施形態の画像形成装置１０Ａは、上記の点以外は第１実施形態の画像形成装置１０と同等の構成とされている。
【００８３】
第４実施形態の画像形成装置１０Ａは、画像形成ユニット６０Ｗ１、６０Ｗ２が他の画像形成ユニット６０Ｙ、６０Ｍ、６０Ｃ、６０Ｋよりも透明媒体Ｐ２の搬送方向上流側に配置されている。そのため、第４実施形態の画像形成装置１０Ａは、例えば、透明媒体Ｐ２を用いて、図１１（Ａ）及び（Ｂ）のような画像を形成することができる。すなわち、本実施形態の画像形成工程により完成した印刷物は、透明媒体Ｐ２の表面（トナー画像が形成される面）側から視認される。
【００８４】
ここで、画像形成ユニット６０Ｗ１を構成する転写部８０Ｗ１は、第１転写部の一例である。転写部８０Ｗ１により媒体Ｐに転写されるトナー画像は、第１画像の一例である。画像形成ユニット６０Ｗ２を構成する転写部８０Ｗ２は、第２転写部の一例である。転写部８０Ｗ２により媒体Ｐに転写されるトナー画像は、第２画像の一例である。画像形成ユニット６０Ｙ、６０Ｍ、６０Ｃ及び６０Ｋを構成する転写部８０Ｙ、８０Ｍ、８０Ｃ及び８０Ｋの何れか又は何れか２つ以上の組合せは、第３転写部の一例である。転写部８０Ｙ、８０Ｍ、８０Ｃ及び８０Ｋの何れか１つ以上の転写部により媒体Ｐに転写されるトナー画像は、第３画像の一例である。
【００８５】
第４実施形態の作用は、第１実施形態の作用と同様である。なお、第４実施形態の画像形成装置１０Ａの画像形成ユニット６０Ｗ１、６０Ｗ２に、第２実施形態及び第３実施形態のような供給ロール７４Ｗ１、７４Ｗ２としてもよい。この場合、第４実施形態の作用は、第２及び第３実施形態の作用と同様である。
【００８６】
≪第５実施形態≫
次に、第５実施形態の画像形成装置１０Ｂについて、図１２及び図１３を参照しつつ説明する。なお、第５実施形態において、第１〜第４実施形態の画像形成装置１０、１０Ａで用いた部材等を用いる場合、その部材等の符号等をそのまま用いて説明する。
【００８７】
本実施形態の画像形成装置１０Ｂは、第１実施形態の画像形成装置１０と異なり、画像形成部３０を構成する各画像形成ユニット６０の構成及び配置が異なる。具体的には、画像形成ユニット６０Ｙ、６０Ｍ、６０Ｃ、６０Ｋ１、６０Ｋ２が、図１２に示されるように、媒体Ｐの搬送方向上流側から下流側に、これらの記載順で媒体Ｐの搬送経路に沿って配置されている。つまり、本実施形態の画像形成部３０は、画像形成ユニット６０Ｗ１、６０Ｗ２を含んで構成していない。なお、画像形成ユニット６０Ｋ１、６０Ｋ２は、Ｋ色のトナー画像を形成する。また、「Ｋ１」及び「Ｋ２」の数字は、色の違いではなく、Ｋ色の画像形成ユニット６０Ｋ１、６０Ｋ２のうち媒体Ｐの搬送経路に沿って媒体Ｐの搬送方向上流側から配置されている順を示している。本実施形態の画像形成装置１０Ｂは、上記の点以外は第１実施形態の画像形成装置１０と同等の構成とされている。ここで、図１２に示されるように、画像形成ユニット６０Ｋ１を構成する転写部８０Ｋ１は、第１転写部の一例である。画像形成ユニット６０Ｋ１を構成する供給ロール７４Ｋ１は、第１供給体の一例である。転写部８０Ｋ１により媒体Ｐに転写されるトナー画像は、第１画像の一例である。また、画像形成ユニット６０Ｋ２を構成する転写部８０Ｋ２は、第２転写部の一例である。画像形成ユニット６０Ｋ２を構成する供給ロール７４Ｋ２は、第２供給体の一例である。転写部８０Ｋ２により媒体Ｐに転写されるトナー画像は、第２画像の一例である。画像形成ユニット６０Ｙ、６０Ｍ、６０Ｃ及び６０Ｋを構成する転写部８０Ｙ、８０Ｍ、８０Ｃ及び８０Ｋの何れか又は何れか２つ以上の組合せは、第３転写部の一例である。転写部８０Ｙ、８０Ｍ、８０Ｃ及び８０Ｋの何れか１つ以上の転写部により媒体Ｐに転写されるトナー画像は、第３画像の一例である。
【００８８】
本実施形態の画像形成装置１０Ｂでは、一例として、紙媒体Ｐ１を用いて画像が形成される。そして、画像形成装置１０Ｂは、例えば、図１３（Ａ）に示されるように、１列目の文字Ａ，Ｂ及びＣを重ねたＫ色のトナー画像、２列目の文字Ａ及びＣを、Ｙ色、Ｍ色及びＣ色の多色のトナー画像、２列目の文字ＢをＫ色のトナー画像とされる画像を形成することができる。ここで、重ねたＫ色のトナー画像は、Ｋ色の画像形成ユニット６０Ｋ１、６０Ｋ２が２つ配置されていることで形成可能とされる。なお、本実施形態の画像形成工程により完成した印刷物は、紙媒体Ｐ１の表面（トナー画像が形成される面）側から視認される。
【００８９】
本実施形態の画像形成装置１０Ｂにより図１３（Ａ）のような画像を形成すると、１列目のＫ色の文字Ａ、Ｂ及びＣの画像は、２列目のＫ色の文字Ｂに比べて、隠ぺい率が高い。すなわち、１列目のＫ色の文字Ａ、Ｂ及びＣは、２列目のＫ色の文字Ｂに比べて、濃く（より黒く）視認される。
【００９０】
ここで、画像形成ユニット６０Ｋ２を備えていない点のみが画像形成装置１０Ｂと異なる画像形成装置（以下、比較装置２という。）を想定する。比較装置２では、そもそも、図１３（Ａ）における１列目のＫ色の文字Ａ、Ｂ及びＣの画像、すなわち、重ねたＫ色の画像を形成することができない。
【００９１】
したがって、本実施形態の画像形成装置１０Ｂによれば、比較装置２に比べて、Ｋ色の重ねた画像の隠ぺい率が高い。別言すれば、本実施形態の画像形成装置１０Ｂは、比較装置２と比べて、より濃いＫ色の重ねた画像を形成することができる。
【００９２】
以上のとおり、本発明を特定の実施形態について詳細に説明したが、本発明は前述した実施形態に限定されるものではなく、本発明の範囲内にて他の実施形態が可能である。
【００９３】
例えば、第１〜第４実施形態では、供給ロール７４Ｗ１と供給ロール７４Ｗ２との外周面の凹凸パターンの組合せを例示して説明した（図６（Ａ）及び（Ｂ）、図９（Ａ）及び（Ｂ）等参照）。しかしながら、供給ロール７４Ｗ１と供給ロール７４Ｗ２との外周面の凹凸パターンが互いに異なる形状であれば、前述の各実施形態の凹凸パターンの組合せでなくてもよい。例えば、図７の凹凸パターン１００Ａ（１１０Ｂが凹部で、１２０Ｂが凸部である、ダイヤ型の凹凸パターン）と、図１４の凹凸パターン１００Ｂとを組み合わせてもよい。また、図６（Ａ）の凹凸パターン１００と、図１５の凹凸パターン１００Ｃ（１１０Ｃが凹部で、１２０Ｃが凸部である、ハニカム型の凹凸パターン）とを組み合わせてもよい。
【００９４】
また、第１〜第４実施形態の画像形成装置１０Ｂでは、Ｗ色の重ねたトナー画像を下地として説明した。しかしながら、下地の色がＷ色であることは第１〜第４実施形態の例示であり、Ｗ色以外の色の重ねたトナー画像を下地としてもよい。例えば、金、銀等の光沢色を含むトナー色を重ねたトナー画像を下地としてもよい。
【００９５】
また、第５実施形態の画像形成装置１０Ｂでは、Ｋ色の画像形成ユニット６０Ｋ１、６０Ｋ２を２つ備えているとして説明した。しかしながら、Ｋ色以外の画像形成ユニット６０を２つ備え、当該２つ備えた画像形成ユニット６０により重ねたトナー画像を形成可能としてもよい。
【００９６】
また、第１〜第５実施形態の画像形成装置１０、１０Ａ、１０Ｂは、すべて電子写真方式の画像形成装置であるとして説明した。しかしながら、トナーを含む液体が、供給ロール７４のように外周面に凹凸パターンが形成されたロールにより、トナー画像が形成される部材に供給される方式であれば、画像形成装置は電子写真方式でなくてもよい。例えば、本発明の画像形成装置は、いわゆるフレキソ印刷方式の画像形成装置であってもよい。
【符号の説明】
【００９７】
１０        画像形成装置
１０Ａ      画像形成装置
１０Ｂ      画像形成装置
７４Ｗ１    供給ロール（第１供給体の一例）
７４Ｗ２    供給ロール（第２供給体の一例）
７４Ｋ１    供給ロール（第１供給体の一例）
７４Ｋ２    供給ロール（第２供給体の一例）
８０Ｙ      転写部（第３転写部の一例）
８０Ｍ      転写部（第３転写部の一例）
８０Ｃ      転写部（第３転写部の一例）
８０Ｋ      転写部（第３転写部の一例）
８０Ｗ１    転写部（第１転写部の一例）
８０Ｗ２    転写部（第２転写部の一例）
８０Ｋ１    転写部（第１転写部の一例）
８０Ｋ２    転写部（第２転写部の一例）
１００      凹凸パターン（第１凹凸パターンの一例）
１００Ａ    凹凸パターン（第１凹凸パターン及び第２凹凸パターンの一例）
１００Ｂ    凹凸パターン（第１凹凸パターン及び第２凹凸パターンの一例）
１００Ｃ    凹凸パターン（第１凹凸パターン及び第２凹凸パターンの一例）
１００      螺旋パターン（第１螺旋パターンの一例）
１１０      凹部  
２００      凹凸パターン（第２凹凸パターンの一例）
２００      螺旋パターン（第２螺旋パターンの一例）
２１０      凹部
Ａ          搬送方向
Ｇ          現像剤（トナーを含む液体の一例）
ＬＡ        間隔
ＯＡ        軸（自軸の一例）
Ｐ          媒体
Ｐ１        紙媒体（媒体の一例）
Ｐ２        透明媒体（媒体及び透明な媒体の一例）
ＷＡ        幅
【図１】
2016080982.tif 000003
【図２】
2016080982.tif 000004
【図３】
2016080982.tif 000005
【図４】
2016080982.tif 000006
【図５】
2016080982.tif 000007
【図６】
2016080982.tif 000008
【図７】
2016080982.tif 000009
【図８】
2016080982.tif 000010
【図９】
2016080982.tif 000011
【図１０】
2016080982.tif 000012
【図１１】
2016080982.tif 000013
【図１２】
2016080982.tif 000014
【図１３】
2016080982.tif 000015
【図１４】
2016080982.tif 000016
【図１５】
2016080982.tif 000017